(57)【特許請求の範囲】
【請求項１】
外部機器と接続可能なディジタルスチルカメラであって、
復帰用スイッチとモードスイッチとを少なくとも有する操作部を備え、
通信モードになるコマンドを前記外部機器から受信すると、該ディジタルスチルカメラの動作モードが通信モードとして動作し、
前記通信モードのとき、該ディジタルスチルカメラ側では前記復帰用スイッチ以外のスイッチ入力は受け付けず、前記外部機器からのコマンドに従って動作し、
前記復帰用スイッチが押されると前記通信モードをぬけ、前記モードスイッチで選択されているモードとして動作する、
ことを特徴とするディジタルスチルカメラ。
【発明の詳細な説明】
【０００１】
【発明の属する技術分野】
本発明は静止画像をディジタルデータとして扱うことが可能なディジタルスチルカメラに関する。
【０００２】
【従来の技術】
（１）近年、画像をフィルムに写し込むのではなく、ＣＣＤ等の撮像素子で光電変換した画像をメモリカードなどの記録媒体に記録するように構成されたディジタルスチルカメラが実用化されている。
【０００３】
また、近年、ＣＣＤ等の撮像素子によりネガフィルムを読み取るネガビューワーと呼ばれるスキャナが存在している。
しかし、ディジタルカメラとして静止画の撮影を行い、かつ、ネガフィルムも撮影可能なディジタルスチルカメラは存在していない。
【０００４】
この種のディジタルスチルカメラの概略構成について、図３３を参照して説明する。
この図３３に示すディジタルスチルカメラにおいて、対物レンズ１０１，フォーカスレンズ１０２，アイリス絞り１０３等で構成された光学系を介して得られた光画像は、ＣＣＤ１０４等の撮像素子の受光面に結像される。また、このとき、このフォーカスレンズ１０２及びアイリス絞り１０３は、それぞれレンズ駆動回路１２１及び絞り駆動回路１２０により駆動される。
【０００５】
ここで、撮像素子を構成するＣＣＤ１０４は受光面に結像された光画像を電荷量に光電変換し、ＣＣＤ駆動回路１２５からの転送パルスによってアナログの画像信号を出力する。出力されたアナログの画像信号は、ＣＤＳ（相関二重サンプリング）回路１０５でノイズが低減され、またＡＧＣにより利得の調整が行われる。そして、Ａ／Ｄ変換器１０６によってディジタル画像信号に変換された後、プロセス回路１０７で輝度処理や色処理が施されてディジタルビデオ信号（例えば、輝度信号と色差信号）に変換される。
【０００６】
このディジタルビデオ信号を記録する際は、圧縮伸張回路１０８においてデータ圧縮が行われる。そして、記録再生回路１０９によって、ＳＲＡＭやフラッシュメモリ等で構成されたメモリカード１１１に記録される。
【０００７】
再生する際は、メモリカード１１１に記録されているディジタルビデオ信号の圧縮データが記録再生回路１０９によって読み出される。そして圧縮伸張回路１０８において圧縮データの伸張が行なわれ、元のサイズのディジタルビデオ信号に戻される。そして、Ｄ／Ａ変換器１１２でアナログのビデオ信号に変換されて、出力回路１１３で所定のレベルのビデオ信号として外部の機器に出力される。
【０００８】
尚、メインＣＰＵ１１０は各部の動作の制御を行っており、発光回路１１５によって駆動されるストロボ１１６は撮影時に発光するように制御される。
また、スルー再生の際は、プロセス回路１０７からＤ／Ａ変換器１１２にディジタルビデオ信号が直接送られ、ＣＣＤ１０４で撮像した映像がリアルタイムでビデオ信号として外部に出力され続ける。
【０００９】
プロセス回路１０７の内部構成のブロック図を図３４に示す。Ａ／Ｄ変換されたディジタル画像信号は、まずＹ／Ｃ分離回路１０７ａで輝度（Ｙ）に関するデータと色（Ｃ）に関するデータに分離される。輝度に関するデータは、輝度処理回路１０７ｂでガンマ補正処理などの処理を施される。
【００１０】
その後、輝度信号についてはネガ／ポジ反転回路１０７ｃで、ポジ画像の場合はそのまま、ネガモードが選択された際のネガ画像の場合はネガ／ポジ反転され、輝度信号として後段に送られる。
【００１１】
一方、色信号については、色度処理回路１０７ｄで原色ＲＧＢについてのＲＧＢデータが生成される。このＲＧＢデータは色差処理回路１０７ｅで、Ｒ−Ｙ，Ｂ−Ｙの色差信号に変換される。そして、ネガ／ポジ反転回路１０７ｆにおいて、ポジ画像の場合はそのまま、ネガモードが選択されている際のネガ画像の場合はネガ／ポジ反転され、色差信号として後段に送られる。
【００１２】
また、白バランス検出回路１０７ｇにおいて白バランス調整に使用するＡＷＢデータは、色処理回路１０７ｄで生成されるＲＧＢ信号を用いる。ＣＰＵ１１０はこのデータを用い、Ｒ＝Ｇ＝Ｂになるように色処理回路１０７ｄのＲＧＢゲインを操作してやり、ホワイトバランスを整える。
【００１３】
尚、従来のネガビューアは手動フォーカス（ＭＦ）か固定フォーカスかのいずれかの状態が一般的であり、ディジタルスチルカメラについてはオートフォーカス（ＡＦ）が一般的である。
【００１４】
（２）ディジタルスチルカメラにおける動作モード，記録コマ数，その他の各種情報は、表示手段となる液晶表示部によって行われている。近年の記録媒体の種類の増加（内蔵メモリ、ＰＣＭＣＩＡカードなど）やカメラの多様化に伴い、従来のコマ数とモードを表示するだけの液晶表示部では操作が分かりにくい問題点があった。
【００１５】
例えば、これまでのディジタルスチルカメラでは、コマ数表示部には、次撮影コマ数（または記録済みコマ数）、または残り記録可能コマ数のどちらか一方が表示され、再生時には再生コマ数が表示されるものが一般的である。尚、このようなコマ数表示部としては、７セグメントで１つの数字を表示するものがあり、これを必要な桁数備えたものが一般的である。
【００１６】
（３）ディジタルカメラは、シリアル伝送手段を用いて、接続したパソコンに撮影した画像データを送信したり、アプリケーションソフトを用いてカメラにコマンドを送ることによって、カメラを操作したりできるものがある。
【００１７】
また、ＧＰＳ（全世界的衛星航法システム：Global Positioning System ）は、測量・船舶支援やカーナビゲーションなどの幅広い分野で利用されるようになっている。このシステムを利用し、ＧＰＳ受信機で受信測定した緯度・経度などの情報を、撮影画像と対応させて（撮影画像のヘッダ部分などに）記録するカメラなどが特開平４−７０７２４号公報などでも提案されている。
【００１８】
このように、ディジタルスチルカメラは、他の機器（外部機器）と接続し、シリアル通信を行うことによりその利用範囲を広げている。
（４）従来のディジタルカメラは、シリアル通信ケーブルを用いて、接続したパソコンに撮影した画像データを送信したり、アプリケーションソフトを用いてカメラにコマンドを送ることによってパソコン側からディジタルスチルカメラを操作したりできるものがある。
【００１９】
【発明が解決しようとする課題】
（１）第１の課題：
しかしながら、上述したディジタルスチルカメラであると、ネガフィルムを撮像するとわかっていても、ＡＦが動作する。従って、読み取るフィルムのコマが変わる度に、ＡＦの駆動が行われることになる。
【００２０】
また、ネガ／ポジ反転に処理が図３４の構成であるため、ネガ画像撮影時はネガ画像から生成されたＲＧＢデータがＣＰＵ１１０に送られる。このため、通常のポジ画像のままの自動白バランス調整では満足する結果が得られないため、ＣＰＵ１１０はネガ専用の処理をしなければならなくなる。
【００２１】
また、ストロボ発光を通常状態のオート制御にしておくと、ネガ撮影時でも低輝度になると自動的にストロボが発光することになり、良好な撮影が行えない問題を有している。
【００２２】
また、一般には図３４に示したように、回路構成を簡単にするために、ガンマ処理後にネガ／ポジ反転する構成になっている。この場合、ネガモードにすると黒く沈んだ画像になってしまう。これは、ガンマ処理により明るい方向に収束するようにされた部分が、反転により逆のガンマがかかるために暗い方向に収束することにより発生する。
【００２３】
（２）第２の課題：
▲１▼ディジタルスチルカメラで撮影した画像を圧縮して記録する際、固定長化を行わないとき、同じ容量のメモリであっても撮影できる枚数は画像により異なる。また、固定長化を行っても、撮影モード（圧縮率、精度、画像サイズ等）により、撮影できる枚数が異なる。
【００２４】
従って、使用者に混乱を起こさせないためには、次記録コマ数（記録コマ数）と記録可能コマ数の両方を表示する必要があるが、そのような装置は存在していなかった。
【００２５】
また、再生時には、再生コマ数の表示だけで、あと何枚で最後の部分を再生できるか分からない状態であった。
▲２▼以上のような場合に、２種類の表示を同時に行う際に、記録用と再生用とで２種類ずつのコマ数表示部を設けると、表示部が大きくなってしまう問題がある。そこで、記録用と再生用とで同じ表示部を兼用することが考えられる。
【００２６】
しかし、このように記録と再生で、同一位置のコマ表示部を使用してコマ数表示を行うと、現在の状態（記録モードか再生モードか）が分かりにくくなる不都合が生じる。
【００２７】
▲３▼また、記録媒体として複数種類（例えば、内蔵メモリとＰＣＭＣＩＡカード等）備えたディジタルスチルカメラにおいては、液晶表示部にコマ数表示部が１カ所しかない場合、表示しているコマ数が内蔵メモリのものなのか、カードに記録されているものなのかが判別が難しくなる。
【００２８】
▲４▼また、同様に複数種類の記録媒体を使用可能なディジタルスチルカメラにおいて、カードから内蔵メモリへ、または内蔵メモリからカードなど、他の媒体へ画像をコピーする場合など、どちらからどちらへ、何枚目を何枚目にコピーするのか分かりにくい。
【００２９】
▲５▼尚、光学式ファインダと撮像レンズ光学系が別になっているディジタルスチルカメラでマクロ（近接）撮影を行う際には、パララックスが生じることになる。記録しようとする画像をＴＶモニタやＰＣモニタなどにスルーで表示しながら撮影する場合は画像を確認して撮影するので問題ないが、そのような表示を行わずにファインダー像を参照して撮影する場合はパララックスが生じていることに気付かない。従って、パララックスにより、ユーザーが撮影したいと思った画像と異なった画像が撮影されてしまうことになる。
【００３０】
▲６▼ディジタルスチルカメラは、記録時のモードとして、画質や圧縮率の大小などを選択できるものがあり、これを用いれば、その用途にあった画質の画像を得ることができる。この場合、記録時のモードを変えると１つあたりの画像サイズが変化するために、記録可能コマ数が変化する。
【００３１】
この場合には、液晶表示部におけるも記録可能コマ数を変えなければならない。このようなモード変更を記録，再生時以外に行うのであれば、メインマイコンが停止中であってもサブマイコンにより行うことができる。しかし、記録可能コマ数に関連するデータを管理しているのはメインマイコンであるため、記録可能コマ数を求めるというためだけにメインマイコンを起動する必要が生じる。従って、この記録可能コマ数を計算するためのメインマイコンの起動により、処理時間や消費電流に無駄が生じることになる。
【００３２】
（３）第３の課題：
接続する外部機器の種類が増えると、シリアル通信規格や通信速度が異なるものが多くなり、通信プロトコルが異なる。それらとシリアル通信を行うために、以下のような策が考えられるが、それによる不都合も生じる。
【００３３】
▲１▼使用する機器の数だけシリアルポートを増やす：カメラの大きさが大きくなる。値段が高くなる。ユーザーがコネクタをどのコネクタに挿せばよいのか分かりにくい。コネクタの数により使用できる機器が限られる。
【００３４】
▲２▼シリアルポートは１つで、カメラに『シリアル切り替えＳＷ』を設けユーザーが接続する外部機器によってＳＷを切り替える：カメラのスイッチの数が増え、煩雑になるばかりでなく、ユーザーに操作を強いることになる。使用できる機器が限られる。
【００３５】
▲３▼カメラにシリアルドライバ部を内蔵：シリアルコネクタが大きくなる。内蔵のドライバ部により、決まった規格のものしか使用できない。また、将来、より高速な通信規格を持つ外部機器と接続するかもしれないが、対応ができない。
【００３６】
（４）第４の課題：
図３５は電池を電源とするディジタルスチルカメラにおける動作状態の電源電圧の様子を示す特性図である。ここでは、図３５（ａ）と図３５（ｂ）とに２つの特性を例示している。バッテリは内部抵抗を有しており、ディジタルスチルカメラの消費電流により取り出せる電圧が変化する。例えば、バッテリの残量が同じであったとしても、ディジタルスチルカメラの各動作における消費電流が異なっているとすると、図３５（ａ），（ｂ）のように電源電圧が異なったものとなる。従って、この図３５（ｂ）においては、ストロボ充電の際にバッテリチェックレベル未満になって警告が表示されることになる。
【００３７】
ディジタルスチルカメラは、通常、バッテリの電圧値をＡ／Ｄ変換してメインマイコンが監視している。そして、その値が設定値のレベル（カメラが正常に動作するのに最低限必要なギリギリの電圧値）以下になったら、バッテリが空になったことを液晶表示部などに表示し、それ以上電流を消費しないよう、各部に供給する電流を切り、全てのシステムを落とし、まったく動作しない状態（カメラがパワーＯＦＦの状態、または、電流ＳＷがＯＦＦされるのを待つだけの状態）となる。
【００３８】
ところで、パソコンにカメラを接続してパソコンからカメラを動作させているときバッテリが無くなると、上記のようにカメラが急に動かなくなりパソコンからのコマンドを受け付けなくなってしまう。パソコン側のアプリケーションの方で一定時間経過したら、例えば、３０秒間応答がなかったらモニタ画面に警告表示を出すなどすることもできるが、カメラが動かなくなってからパソコンが判断するまでの時間はユーザーはなぜ動かなくなってしまったのか分からずに故障と間違える危険がある。このように外部機器接続動作時にバッテリが空になりカメラが動作しなくなると使用者が混乱する可能性がある。
【００３９】
また、パソコンとの通信によって通信モードになるディジタルスチルカメラでは、パソコンと通信時、カメラはパソコンからのコマンドのみに従いカメラ本体のスイッチ操作は受け付けない。ただし、これではパソコン側のカメラ操作アプリケーシュンがハングアップしたときなど、カメラは通信モードから簡単な操作で復帰する手段が無くなるため、通信モードから復帰できない。バッテリを全部抜いたりすれば復帰できるが、現実的ではない。
【００４２】
本発明の第１の目的は、外部機器と接続されて動作する場合にも安定した動作が可能なディジタルスチルカメラを実現することである。
【００４３】
【課題を解決するための手段】
上述した課題を解決するために、本発明では、以下のようなディジタルスチルカメラを提案する。
【００７２】
外部の機器と接続可能なディジタルスチルカメラにおいて、外部機器接続時は外部機器からの命令に従い、ディジタルスチルカメラ側の操作には従わないモードで動作し、ディジタルスチルカメラ側の動作復帰用のスイッチの入力のみを受け付けることを特徴とするディジタルスチルカメラ。
【００７３】
このようにすることで、外部機器の動作が停止したとしても、ディジタルスチルカメラを通常の単体動作に復帰することができる。
【００７４】
【発明の実施の形態】
以下、本発明の実施の形態例を図面に基づいて説明する。
＜第１の目的を達成するための実施の形態＞
図１に本発明の第１の実施の形態例の実施するに適するディジタルスチルカメラの一形態例の構成を示す。
【００７５】
この図１に示すディジタルスチルカメラにおいて、対物レンズ１０１，フォーカスレンズ１０２，アイリス絞り１０３等で構成された光学系を介して得られた光画像は、ＣＣＤ１０４等の撮像素子の受光面に結像される。また、このとき、このフォーカスレンズ１０２及びアイリス絞り１０３は、それぞれレンズ駆動回路１２１及び絞り駆動回路１２０により駆動される。
【００７６】
ここで、撮像素子を構成するＣＣＤ１０４は受光面に結像された光画像を電荷量に光電変換し、ＣＣＤ駆動回路１２５からの転送パルスによってアナログの画像信号を出力する。出力されたアナログの画像信号は、ＣＤＳ（相関二重サンプリング）回路１０５でノイズが低減され、またＡＧＣにより利得の調整が行われる。そして、Ａ／Ｄ変換器１０６によってディジタル画像信号に変換された後、プロセス回路１０７で輝度処理や色処理が施されてディジタルビデオ信号（例えば、輝度信号と色差信号）に変換される。
【００７７】
尚、メインＣＰＵ１１０は各部の動作の制御を行っており、発光回路１１５によって駆動されるストロボ１１６は撮影時に発光するように制御される。また、ＡＥ、ＡＷＢ、ＡＦ処理は、全て撮像面のデータを用いてメインＣＰＵ１１０の制御により行う。これらの処理はプロセス回路１０７がデータを供給してやり、メインＣＰＵ１１０が演算処理を行い、絞り駆動回路１２０、レンズ駆動回路１２１、及びＣＣＤ駆動回路１２５、プロセス回路１０７内の色処理回路を制御することで行う。また、メインＣＰＵ１１０は操作パネル１３０の各種スイッチ（電源スイッチ，レリーズスイッチ，再生スイッチ等）の操作状態に応じて各部を制御し、また、必要な情報を液晶表示部１３１に表示する。
【００７８】
尚、ここでは、メインＣＰＵ１１０がディジタルスチルカメラ全体を制御する場合を例示したが、サブＣＰＵとメインＣＰＵとで分担する構成としても良い。このディジタルビデオ信号を記録する際は、圧縮伸張回路１０８においてデータ圧縮が行われる。そして、記録再生回路１０９によって、ＳＲＡＭやフラッシュメモリ等で構成されたメモリカード１１１に記録される。
【００７９】
再生する際は、メモリカード１１１に記録されているディジタルビデオ信号の圧縮データが記録再生回路１０９によって読み出される。そして圧縮伸張回路１０８において圧縮データの伸張が行なわれ、元のサイズのディジタルビデオ信号に戻される。そして、Ｄ／Ａ変換器１１２でアナログのビデオ信号に変換されて、出力回路１１３で所定のレベルのビデオ信号として外部の機器に出力される。
【００８０】
また、スルー再生の際は、プロセス回路１０７からＤ／Ａ変換器１１２にディジタルビデオ信号が直接送られ、ＣＣＤ１０４で撮像した映像がリアルタイムでビデオ信号として外部に出力され続ける。
【００８１】
図２はこのディジタルスチルカメラの外観図を示す斜視図である。また、このディジタルスチルカメラの液晶表示部１３１、及び、この近傍の操作パネル１３０（設定スイッチ）の様子を図３に模式的に示す。
【００８２】
ネガフィルムを撮影するネガモード時、液晶表示部１３１のネガマーク（図３太枠内のフィルム１コマの形状のマーク）が点灯する。ネガモードとは、内部処理で画像の輝度、色度を反転させるモードである。また、制御方法としては、ビデオモードになる。ビデオモードとは、ＣＣＤ１０４で撮像され、信号処理された画像がそのままリアルタイムでＮＴＳＣビデオ信号として出力されるモードである。すなわち、撮像した画像がスルーで確認できるモードである。ビデオモードでのＡＥ、ＡＷＢ、ＡＦはそれぞれコンティニアス（連続的）である。従って、適正範囲に入るまで制御を行い、適性範囲に入ってもデータを監視し続けてデータ値が大きく変化した（すなわち、被写体が変化した）と判断したら、また制御をやり直すようにする。
【００８３】
また、操作パネル１３０のスイッチとしては、再生モードのときに次の画像にコマ送りするアップスイッチ（ＵＰ  ＳＷ）や、１コマ戻すダウンスイッチ（ＤＯＷＮ  ＳＷ）などがある。
【００８４】
＜フィルム撮影モード＞
ここで、ネガフィルムやポジフィルムといった、ある程度大きさの決まった被写体を撮像するフィルム撮影モードの場合の実施の一形態例を述べる。
【００８５】
まず、ネガフィルムとポジフィルムは、光透過型被写体なので、撮影に際しては光拡散型のバックライトが必要である。今回は図６に示すようなバックライトとディジタルスチルカメラ保持機構を備えた撮影台２００を用いる。
【００８６】
この撮影台２００では中央部の発光面２０１上にフィルムを乗せ、発光面の下側（裏側）から照明をあててやるのである。
図５がフィルム２２０を乗せたときの撮影台２００である。また、カメラ側の三脚穴に対して三脚ねじ２１１を挿入することで、ディジタルスチルカメラを保持機構２１０に取り付けられる構成となっている。
【００８７】
また、カメラを取り付けると図７のような構成になる。この場合、前記三脚ネジ２１１を保持機構２１０の中央部の溝に沿って移動させることで、ディジタルスチルカメラと発光面２０１との間の間隔の調整ができる。この場合、ディジタルスチルカメラのフィルム撮影モードの場合の画角（光学系の焦点距離により定まる）により、フィルム２２０の１コマの全体が撮影可能なように、保持機構２１０の位置に印を設けておく。このため、撮影台２００の印は、ディジタルスチルカメラの光学系によって定まるものである。
【００８８】
このような保持機構２１０の位置表示について図７に一例を示す。ここでは、ディジタルスチルカメラを取り付ける側の反対側の状態を示している。
三脚ネジ固定部２１１ａは保持機構２１０の溝に沿って移動可能であり、また、つまみ２１１ｂを回転させることで三脚ねじ２１１を締めてディジタルスチルカメラを保持機構２１０の所定の位置に固定することが可能である。また、三脚ねじ固定部２１１ａの一部には突起が設けられており、この突起に対応する保持機構２１０側にはフィルムサイズが表示されている。
【００８９】
例えば、図７の状態では35mmフィルムに画角が合っている状態を示している。また、35mmだけではなく、ブローニーフィルム用、名刺判用、サービスサイズプリント版用など、様々な画角に合うような印を付けておく構成とする。当然ではあるが、名刺やプリント写真というのは、反射型の原稿なので、バックライトは消灯して、他の光源でそれらを照明させる。
【００９０】
ここで、ディジタルスチルカメラは撮像面ＡＦを行うとする。撮像面ＡＦとは、ＣＣＤ１０４から出力される撮像データを用いて行うＡＦである。画像信号に含まれる高周波成分を評価値とし、その評価値が最大になるように、メインＣＰＵ１１０がレンズ駆動回路１２１を制御してフォーカスレンズを駆動するのである。この場合の制御方法としては、山登り法などが有名である。
【００９１】
ここで、具体的な動作について説明する。前述の図６のように、ディジタルスチルカメラのを撮影台２００に取り付ける。使用者はディジタルスチルカメラを操作パネル１３０からフィルムモードにモード変更し、ネガフィルムやポジフィルム等を撮像する。
【００９２】
ディジタルスチルカメラのシーケンスとしては、ＡＥ、ＡＷＢ、ＡＦを行い、撮像を行う。ここで、フィルムを１コマ分ずらすとする。するとカメラはビデオスルーモードなので、画像が変わったと判断し、また、ＡＥ、ＡＷＢ、ＡＦを行う。この様に、画面が変わる度に様々な処理が動いてしまい、画面が乱れることもある。これを解消するために、フィルム撮影モード時はＡＦを動作させず、ＭＦに切り替えるようにする。
【００９３】
すなわち、フィルムサイズによりピント位置が決まっているので、このような構成にする。このようにすることで全体の処理も早くなる。また、ビデオ出力に見苦しい画像が出力されることがなくなる。
【００９４】
また、このとき、ＡＥもワンタイムＡＥに、ＡＷＢも固定にする構成としてもよい。ワンタイムＡＥとは、１度露出を合わせたら、何らかの操作があるまで、その露出値を保持する露出制御方法である。
【００９５】
ここで、さらに使い勝手を向上するために、フィルム撮影モード時は35mmフィルムを撮像する機会が一番多いと考え、操作パネル１３０からフィルム撮影モードが選択されたら、メインＣＰＵ１１０はピント位置を35mmフィルムがちょうど収まる画角にしたときにピントが合うようなレンズ位置にフォーカスレンズを移動し固定する。また、この固定した位置は使用者が手動で変えられる構成としてもよい。
【００９６】
尚、この場合にディジタルスチルカメラの光学系が単焦点レンズであればピント位置のみを調整し、光学系がズームレンズや２焦点レンズであれば焦点距離（画角）とピント位置の両方を調整するように、メインＣＰＵ１１０がレンズ駆動回路１２１を制御する。
【００９７】
また、この場合、違う大きさのフィルムを撮像するとか、もっと拡大して撮像したいという要望を満たすために、図３で示したダウンスイッチ、アップスイッチをフォーカスレンズのマニュアル駆動スイッチとして用いる。
【００９８】
通常記録時は、ダウンスイッチは画質モードスイッチに、アップスイッチはストロボスイッチに割り付けられているが、フィルム撮影モードになった場合は、画質を変化させない、ストロボ発光をさせない、という構成にし、これらのスイッチを用いる構成とする。ちなみに、画質モードとは、画像の質であり、実施の形態例では２通りのモード（ノーマルとエコノミー）がある。実現手段としては、圧縮率を変化させ、データ量を変えているのである。
【００９９】
また、フィルム撮影モード時は、被写体に接近して撮像を行うため、カメラ内蔵ストロボの光が斜め横から当たることになり、好ましくない。よって、フィルム撮影モードが指定されたら、メインＣＰＵ１１０はストロボを発光禁止とする。
【０１００】
ここで、ストロボモードは、実施の形態例では３通り（ＯＮ、ＯＦＦ、ＡＵＴＯ）のモードがある。ＯＮモードとは、いかなる状況でもストロボを発光させるモードである。ＯＦＦモードとは、いかなる状況でもストロボを発光させないモードである。ＡＵＴＯモードとは、低輝度であればストロボを発光させるモードである。先に述べたフィルム撮影モードでのストロボ発光禁止は、ＡＵＴＯモードにのみ有効とする。こうすることで、どうしてもストロボを発光させたい使用者に対処することができる。
【０１０１】
＜ネガモード＞
ここで、フィルム撮影モードにおいて、ネガフィルムを撮影するネガモードについて説明する。
【０１０２】
ここで、ネガモードの処理に適した実施の形態例について、プロセス回路１０７の内部ブロック構成を図８に示す。
Ａ／Ｄ変換されたディジタル画像信号は、まずＹ／Ｃ分離回路１０７ａで輝度（Ｙ）に関するデータと色（Ｃ）に関するデータに分離される。輝度に関するデータは、輝度処理回路１０７ｂでガンマ補正処理などの処理を施される。
【０１０３】
その後、輝度信号についてはネガ／ポジ反転回路１０７ｃで、ポジ画像の場合はそのまま、ネガモードが選択された際のネガ画像の場合はネガ／ポジ反転され、輝度信号として後段に送られる。
【０１０４】
一方、色信号については、色度処理回路１０７ｄで原色ＲＧＢについてのＲＧＢデータが生成される。このＲＧＢデータは色差処理回路１０７ｅで、Ｒ−Ｙ，Ｂ−Ｙの色差信号に変換される。そして、ネガ／ポジ反転回路１０７ｆにおいて、ポジ画像の場合はそのまま、ネガモードが選択されている際のネガ画像の場合はネガ／ポジ反転され、色差信号として後段に送られる。
【０１０５】
また、白バランス検出回路１０７ｈにおいて白バランス調整に使用するＡＷＢデータは、色処理回路１０７ｄで生成されるＲＧＢ信号ではなく、ネガ／ポジ反転回路１０７ｆで生成されたポジ反転後のＲＧＢ信号を用いる。ＣＰＵ１１０はこのデータを用い、Ｒ＝Ｇ＝Ｂになるように色処理回路１０７ｄのＲＧＢゲインを操作してやり、ホワイトバランスを整える。
【０１０６】
すなわち、ポジ画像については従来通りに色処理回路１０７ｄからのＲＧＢ信号を使用し、ネガモードの際にはネガ／ポジ反転されたポジ化ＲＧＢ信号を使用して、ホワイトバランスの調整を行う。
【０１０７】
このような構成にすることで、実際にみる画像（ポジ画像）に基づいて白バランス調整が行われることになり、より一層ホワイトバランスがとれている画像になる。
【０１０８】
また、このような構成にすれば、マニュアルでホワイトバランスを行うときでも、感覚的に合わせやすい。また、ポジ化された画像についてのみＡＷＢ処理を行うことになるので、メインＣＰＵ１１０においてネガ専用の処理や新たな処理が必要とならず、既存のＡＷＢ処理でよくなる。
また、このＡＷＢデータの取得場所は切り替えができる。こうすることにより、様々なＡＷＢができるようにもなる。
【０１０９】
また、撮影台２００（図７）の光源の色温度に合わせて、予め色バランスを設定しておき、ＡＷＢ処理もやらない構成としてもよい。
そして、、ネガモード時は、輝度処理回路１０７ｂにおける信号処理の定数（ガンマカーブなど）をネガ以外の場合と変える構成とする。すなわち、ガンマ処理後にネガ／ポジ反転する構成であるためにネガフィルムの撮影画像が黒く沈みがちであったのを、ガンマカーブを変更することで適正な画像（黒く沈むことのない画像）が得られる。
【０１１０】
また、ネガフィルムの銘柄や露出の条件によっては、コントラストの差が大きいものや、逆にコントラストがなだらかなもの等、特性が異なる場合がある。そこで、このように条件の異なるネガフィルムをＴＶモニタに再生した場合にも適正な画像が表示されるように、予め各種のガンマカーブをプリセットしておいて使用者が選択できるようにすることも可能である。
【０１１１】
＜第２の目的を達成するための実施の形態＞
図９に本発明の第２の実施の形態例の実施するに適するディジタルスチルカメラの一形態例の構成を示す。
【０１１２】
この図９に示すディジタルスチルカメラにおいて、レンズ１，アイリス絞り２等で構成された光学系を介して得られた光画像は、ＣＣＤ等の撮像素子３の受光面に結像される。また、このとき、このレンズ１及びアイリス絞り２は、それぞれフォーカス駆動回路１６及び絞り駆動回路１５により駆動される。
【０１１３】
ここで、撮像素子３は受光面に結像された光画像を電荷量に光電変換し、ＣＣＤ駆動回路１９からの転送パルスによってアナログの画像信号を出力する。
出力されたアナログの画像信号は、プリプロセス回路４においてＣＤＳ（相関二重サンプリング）処理でノイズが低減され、またＡＧＣにより利得の調整が行われ、ダイナミックレンジ拡大のための二ー処理などが行われる。
【０１１４】
そして、Ａ／Ｄ変換器５によってディジタル画像信号に変換された後、信号処理回路６で輝度処理や色処理が施されてディジタルビデオ信号（例えば、輝度信号（Ｙ）と色差信号（Ｃｒ，Ｃｂ））に変換されて、メモリコントローラ７に出力される。
【０１１５】
他方、この信号処理回路６にはＤ／Ａ変換器も内蔵されており、Ａ／Ｄ変換器５側から入力されるカラー化された映像信号や、メモリコントローラ７から逆に入力される画像データをアナログのビデオ信号として出力することもできる。
【０１１６】
これらの機能切り替えは、メインマイコン８とのデータ交換により行なわれ、必要に応じて撮像素子信号の露出情報やフォーカス信号、白バランス情報をメインマイコン８へ出力することもできる。
【０１１７】
このメインマイコン８は、主として撮影，記録，再生のシーケンスを制御し、更には必要に応じて撮影画像の圧縮再生や外部機器とのシリアルポート伝送を行なう。ここで、画像圧縮としてＣＣＩＴＴとＩＳＯで規格化されているＪＰＥＧ方式、或いはＪＢＩＧ方式を使用する。
【０１１８】
そして、メモリコントローラ７では、信号処理回路６から入力されるディジタル画像データをフレームメモリ９に蓄積したり、逆にフレームメモリ９の画像データを信号処理回路６に出力する。
【０１１９】
フレームメモリ９は、少なくとも１画面以上の画像データを蓄積できる画像メモリであり、例えばＶＲＡＭ，ＳＲＡＭ，ＤＲＡＭ等が一般に使用されるが、ここではＣＰＵのバスと独立動作可能なＶＲＡＭを使用している。
【０１２０】
画像蓄積用メモリ１０は、本体内蔵のメモリであり、フレームメモリ９に記憶された画像データについてメインマイコン８で画像圧縮処理等を施されたものが蓄えられる。この画像蓄積用メモリ１０としては、例えばＳＲＡＭ，ＤＲＡＭ，ＥＥＰＲＯＭ等が用いられるが、メモリ内の画像データを保存することを考えると、ＥＥＰＲＯＭが好ましい。
【０１２１】
ＰＣカードコントローラ（ＰＣＭＣＩＡコントローラ）１１は、ＰＣメモリカード（以下単にＰＣカードと略す）等の外部記録媒体とメインマイコン８とを接続するものであり、フレームメモリ９に記憶された画像が、メインマイコン８で画像圧縮処理等を施された後に、このコントローラ１１を介して外部記憶媒体に記録される。このＰＣカードコントローラ１１を介して接続される外部の保存用のＰＣカードとしては、ＳＲＡＭカード，ＤＲＡＭカード，ＥＥＰＲＯＭカード等が使用でき、モデムカードやＩＳＤＮカードを利用して公衆回線を介して直接画像データを遠隔地の記憶媒体に転送することもできる。
【０１２２】
ストロボ１２は撮影シーケンスを制御するメインマイコン８により発光タイミングが得られるようになっている。
シリアルポートドライバ１３は、カメラ本体と外部機器との情報との情報伝送を行なうための信号変換を行なう。シリアル伝送手段としては、ＲＳ２３２Ｃや、ＲＳ４２２Ａ等のシリアル通信を行う推奨規格があるが、ここではＲＳ２３２Ｃを使用している。
【０１２３】
サブマイコン１４は、カメラ本体の操作スイッチや液晶表示等のマンマシン・インタフェースを制御し、メインマイコン８に必要に応じて情報伝達を行なうものである。ここでは、メインマイコン８との情報伝達にシリアル入出力端子を使用している。また、時計機能も組み込まれており、オートデートの制御も行なう。
【０１２４】
絞り駆動部１５は、例えばオートアイリス等によって構成され、メインマイコン８の制御によって光学的な絞り２の絞り値を変化させる。
フォーカス駆動部１６は、例えばステッピングモータにより構成され、メインマイコン８の制御によってレンズ位置を変化させ、被写体の光学的なピント面を撮像素子３上に適性に合わせるものである。液晶表示部１８はサブマイコン１４と接続され、撮影情報等の各種情報を表示する表示手段である。
【０１２５】
操作部２０は各種モード設定スイッチやレリーズスイッチ等が設けられた操作手段であり、サブマイコン１４に接続されている。
尚、この図９で示した構成では、メインマイコン８において画像の圧縮と伸張とを行う場合を示したが、ＣＰＵバス上に圧縮／伸張用の専用回路を配置しても良い。
【０１２６】
次に、撮影からメモリ記録への一連の動作を説明する。サブマイコン１４に接続している各種スイッチ情報よりカメラの動作モードが設定され、撮影のための情報がメインマイコン８にシリアル情報として入力される。この情報に応じて、メインマイコン８は、メモリコントローラ７やシリアルポートドライバ１３を設定する。また必要に応じて、ＰＣカードコントロー１１を設定する。
【０１２７】
サブマイコン１４上のレリーズスイッチが半押し（S1on）されると、サブマイコン１４はその情報をメインマイコン８に伝える。メインマイコン８はS1信号がアクティブになったことを知ると、信号処理回路６に画像入力命令を発行し、信号処理回路６は、撮像素子３，プリプロセス回路４，Ａ／Ｄ変換器６を動作させてＣＣＤ画像を受け取る。
【０１２８】
受け取ったＣＣＤ画像データを信号処理回路６で基本的な信号処理を行った上で、輝度データの高周波成分からフォーカス情報を、低周波成分から露出データを作成しておく。メインマイコン８では、これらのデータを信号処理回路６から読み取り、必要に応じて絞り駆動やフォーカス駆動、さらにはプリプロセスのＡＧＣ増幅器のゲイン制御を行い適正な露出やピントが得られるまで収れんをさせる。また、動作モードによっては、信号処理回路６からアナログ画像信号を出力してＮＴＳＣビデオ信号として外部モニタに出力する。
【０１２９】
露出値、ピントが適正な値に収れんした後、サブマイコン１４からメインマイコン８にレリーズスイッチが全押しされたことを示す信号（S2on）が入力されると、メインマイコン８はメモリコントローラ７に取り込みの命令を出力する。また、必要に応じて、取り込み画像のフィールドタイミングでストロボ１２に発光信号を出力する。
【０１３０】
メモリコントローラ７で画像の取り込み命令を受けると、信号処理回路６からの同期信号を検出し、所定のタイミングで信号処理回路６から出力されるＹ−Ｃｒ−Ｃｂ形式などの画像データをフレームメモリ９に取り込む。フレームメモリ９に画像の取り込みが終了すると、メモリコントローラ７は取り込みが終了したことを示すステータスを表示する。このステータスをメインマイコン８が読み取ることによって、メインマイコン８側で撮影が終了したことを認識する。
【０１３１】
撮影が終了した後にメインマイコン８では必要に応じて撮像データの画像圧縮を行い、画像蓄積用メモリ１０，外部接続されているＰＣカードやフラッシュメモリ、あるいは外部シリアルポートに接続されているパーソナルコンピュータへ画像データを転送する。
【０１３２】
尚、再生表示動作においては、メインマイコン８で、画像蓄積用メモリ１０、外部接続されているＰＣカード、あるいは外部シリアルポートに接続されているパーソナルコンピュータから画像データを読み取り、必要に応じて画像の伸張を行い、フレームメモリ９に書き込む。この後、信号処理回路６とメモリコントローラ７に画像を表示するための命令を発行すると、メモリコントローラ７でフレームメモリ９部より画像データを読み取り、信号処理回路６を介してＮＴＳＣ出力端子へ画像のアナログ信号を出力する。
【０１３３】
このようにしてディジタルスチルカメラの撮影，記録，再生，表示，伝送の機能は達成される。
尚、図１０は上述のディジタルスチルカメラの外観構成を示す構成図であり、液晶表示部１８，操作部２０を構成する各種スイッチ，ファインダ並びに記録媒体としてもメモリカードの様子を示している。
【０１３４】
次に、カメラの液晶表示部の表示内容について説明する。図１１はカメラの液晶表示部１８の一例である。
表示１８ａはバッテリの残量表示、表示１８ｂはストロボモードの表示、表示１８ｃはセルフモードの表示、表示１８ｄは画質モードの表示（高画質、低画質）、表示１８ｅはシャッタスピード優先モードの表示である。表示１８ｆは７セグメントの表示手段を合計４桁備え、記録再生のコマ数や、記録か再生かを示す表示である。表示１８ｇは、カードにプロテクトがかかっているときの表示をそれぞれ行う。表示１８ｈには『ＮＥＷ』だけ表示することで、挿入されているカードが未使用、または他の形式でフォーマットされていることを表示する。
【０１３５】
▲１▼操作部２０のモードＳＷによって、『画像記録モード』が選択されたときは、液晶表示部１８に表示１８ｆを使用して記録モード時表示を行う。図１２に画像記録モードにおいての、次記録コマ数（または撮影済みコマ数）と残り記録可能コマ数の表示を行う表示１８ｆのデザイン例を示す。右側の２桁の７セグメント表示部に残り記録可能コマ数、左側の２桁の７セグメント表示部に次記録コマ数（または撮影済みコマ数）の表示を行う。また、左側の２桁の７セグメント表示部と右側の２桁の７セグメント表示部との間の矢印が画像記録モードであることを示している。図１２は残り記録可能コマ数が２４枚、次記録コマ数が１０枚目の時の液晶表示部１８の表示例である。
【０１３６】
同様にして、モードＳＷによって『画像再生モード』が選択されたときは、液晶表示部１８の表示１８ｆを使用して、再生モード時表示を行う。図１３に画像再生モードにおいての、再生コマ数と総記録コマ数の表示を行う液晶表示部１８のデザイン例を示す。右側の２桁の７セグメント表示部に総記録コマ数、左側の２桁の７セグメント表示部に再生コマ数の表示を行う。図１３は総記録コマ数が３６枚、今再生しているもののコマ数が２６枚目である時の表示である。また、左側の２桁の７セグメント表示部と右側の２桁の７セグメント表示部との間のスラッシュが画像再生モードであることを示している。
【０１３７】
従って、このディジタルスチルカメラによれば、サイズの異なる画像が記録若しくは再生される場合でも、現在の記録コマ数や再生コマ数以外に残り枚数が分かるようになる。
【０１３８】
▲２▼図１２及び図１３に画像記録時、画像再生時における液晶表示部１８のデザイン例を示したものは、総コマ数、または残り記録可能コマ数のどちらかを表示しているのか分かるような表示の一例である。図１２の残り記録可能コマ数と次記録コマ数（または撮影済みコマ数）の間の矢印は、記録時であることを示し、１枚撮影が終わると残り記録可能コマ数が、１つ減り次記録撮影コマ数が１つ増えるということを表している。図１３の再生コマ数と総記録コマ数スラッシュは再生時であることを示し、総枚数のうちの何枚目が再生されているということを示している。このほかにも、例えば図１４や図１５に示したように、『のこり』や『総数』などというセグメントを設け、点灯させても良い。
【０１３９】
また、以上の実施例のように、コマ数表示部を２カ所に設けることにより、ここにメッセージ表示を行っても良い。図１６に全消去時での液晶表示例を示す。コマ数表示部（表示部１８ｆ）にＡＬＬ、日付部（表示部１８ｈ）にＥｒＡＳＥを表示し、コマ数表示部には消去するコマ数を表示する。このように日付部とコマ数表示部を用いれば、より的確なメッセージを表示することができる。
【０１４０】
このようなディジタルスチルカメラによれば、記録と再生で同一位置のコマ表示部を使用してコマ数表示を行った場合でも、現在の状態（記録モードか再生モードか）が分かるようになる。
【０１４１】
▲３▼図１７に複数の記憶媒体に記録できるカメラにおいての、液晶表示部１８のコマ数の表示例を示す。図１７はＰＣＭＣＩＡカード（ＰＣカード）と内蔵メモリ内における次記録コマ数を表している。コマ数表示の下にあるアンダーバーのセグメントは、記録または再生の対象（アクティブな媒体）がカードであることを示している。記録または再生の対象はカメラ上のＳＷ、またはパソコンを接続してパソコンからのコマンドにより任意に変えることができる。
【０１４２】
また、ＰＣカードが挿入されているときは、図１７や図１８において表示部１８ｆのカード枠（左側２桁の７セグメント表示部の外側のＣ字型の表示）が点灯若しくは点滅する。特に内蔵メモリやパソコンに記録可能なシステムにおいては、カード枠の点灯によってＰＣカードに記録されているコマ数なのか、内蔵メモリに記録されているコマ数なのかを明確に区別できる。
【０１４３】
このようなディジタルスチルカメラによれば、液晶表示部にコマ数表示部が１カ所しかない場合、表示しているコマ数がどの記録媒体のものなのかが判別可能になる。
【０１４４】
▲４▼内蔵メモリからＰＣカードへ、ＰＣカードから内蔵メモリへ、または他の記憶媒体へ画像のコピーを行う際に、液晶表示部１８にその動作を明確に表示する。カメラ上のＳＷ、またはパソコンを接続してパソコンからのコマンドにより、コピーする画像が記録されている記録媒体とその画像ナンバーとコピー先の媒体を指定する。このとき、液晶表示部１８には図１８、図２０のように表示される。
【０１４５】
図１８はＰＣカードの２４枚目の画像を内蔵画像メモリの３枚目にコピーを行うときの表示例である。図２０は内蔵メモリ内の１４枚目の画像をＰＣカードの２７枚目の画像としてコピーする時の表示例である。コピー先のコマ番号は任意に指定することもできるし、自動的に最小未記録コマ番号になるようにしても良い。画像の指定が済むと、ＳＷなどによりコピーを開始するが、このときは各コマ数間の矢印が流れるように点灯し、コピー動作を明確に表示する。コピーが終了した際は、ブザーが鳴り、表示は元に戻る。
【０１４６】
また、カードや内蔵メモリに限らず、直接、パソコンのハードディスクなどとのデータのやりとりの際にも、分かりやすい表示を行うことができる。この場合、パソコン内の画像であることを明確にする必要がある。例えば、図１９のように『ＰＣ』と表示する。
【０１４７】
このように表示することで、どの媒体からどの媒体へ、何枚目を相手の何枚目にコピーしているかを明確に把握できるようになる。
▲５▼カメラがマクロ撮影を行うときに、メインマイコン８が、ＡＦデータの被写体との距離情報から、パララックスが生じる距離と判断したときは、パララックス警告ＬＥＤを点灯する。このとき、テレビにスルー画を表示しながら撮影を行うビデオモードや、パソコンにスルー画を表示しながら撮影を行う場合は、ユーザーがパララックスが生じるのを確認できるので、このときはパララックス警告ＬＥＤを点灯させない、というふうにしても良い。
【０１４８】
また、ＡＦを行わず、手動でマクロモードに切り替えるようなシステムであるならば、マクロモードに切り替わったときにはパララックス警告を表示するようにしても良い。またこの警告はＬＥＤでなく、ＬＣＤやキャラジェネ表示で行っても良い。
【０１４９】
尚、特にマクロモードを有しない光学系でＭＦによる場合でも、距離情報のみを取得してメインマイコン８が警告を行うようにすることも可能である。
このようなディジタルスチルカメラによれば、パララックスが生じていることに使用者が気付くようになり、パララックスによって目的の画像と異なった画像が撮影される事態を回避することができる。
【０１５０】
▲６▼操作部２０の電源ＳＷがオンされると、サブマイコン１４はメインマイコン８をオン状態にする。そして、メインマイコン８が記録媒体のチェックを行った後、サブマイコン１４はメインマイコン８から次撮影コマ数（または撮影済みコマ数）やメモリ内残量などの情報を受け取ってＲＡＭ等に保持し、メインマイコンをオフ状態にする。そして、サブマイコン１４は液晶表示部１８に撮影コマ数や残り記録可能コマ数、撮影モードなどの表示を行い、レリーズスイッチがオンされるまでの間、モードの変更を受け付ける状態で待機する。
【０１５１】
この待機状態のとき、画質モード，画像圧縮モード，画像の大きさモードなどモードが変更された場合、画像１枚あたりの容量が変化することになり、残り記録可能コマ数が変化することになる。ここで、残り記録可能コマ数は次式で求められる。
【０１５２】
残り記録可能コマ数＝（メモリ内残量／そのモードでの１画像あたりの画像データ量）
すなわち、モードが異なると１画像あたりの画像データ量が異なるので、記録可能コマ数が変化する。モード変更ＳＷが押されると、サブマイコンは上式により残り記録可能コマ数を計算し、液晶表示部１８に表示を行う。
【０１５３】
このようなディジタルスチルカメラによれば、記録可能コマ数を求めるというためだけにメインマイコンを起動する必要はなくなり、サブマイコンだけの処理で済むようになる。従って、メインマイコンの起動時間や消費電流といった無駄が生じることがなくなる。
【０１５４】
▲７▼また、このカメラはシリアル伝送手段を用いてＧＰＳユニットと通信を行うこともできる。このＧＰＳ（全世界的衛星航法システム：Global Positioning System  ）ユニットは測量・船舶支援やカーナビゲーションなど幅広い分野で利用されているもので、ＧＰＳ受信機で受信測定した緯度・経度などの情報をディジタルカメラに転送し、撮影画像と対応させて（撮影画像のヘッダー部分などに）記録したり、それを再生時に画像と共にまたは対応づけて表示することもできる。
【０１５５】
ここで、ＧＰＳユニットをカメラに接続して動作するときの液晶表示について説明する。
一般にＧＰＳ受信機においては時刻やおおよその一が内部不揮発性メモリに保持されていればそれを元に計算し、適切な衛星をサーチできるが、初期時はデータが不確定となる。このような場合にはカメラに適確な表示ができないためユーザーが故障と間違える危険があり、これと区別するためにデータ不確定時表示を行う。例えば、ＧＰＳデータの不確定時には液晶表示部１８の表示１８ｈのＮＥＷＳを点灯した部分が回転するような表示、もしくは日付表示部に動きのある表示や全ての桁にマイナス文字の表示を行う。これは初期化中のための動作中であることも示している。
【０１５６】
ＧＰＳ情報（緯度，経度）の表示は日付表示部（表示１８ｈ）を用いる。日付表示部を使用することにより、専用の表示部を設けることなくＧＰＳ情報の表示を行える。具体的には緯度・経度・日付・時間の表示を１定時間ごとに切り替え表示する。このときの１つを表示する時間、表示するものについては設定変更が可能である。また、経度・緯度の場合に、度の百の位の数字が表示できないため、年度のアポストロフィで代用すれば良い。経度・緯度の表示のためには、時分の表示のためのアポストロフィー等を設けても良い。
【０１５７】
ＧＰＳ情報に関しては協定世界時ＵＴＣ（グリニッジ標準時ＧＭＴ）を表示するものとし、国別の標準時にも設定することが可能である。
尚、ＰＣカード挿入時にそのカードが未使用、または他の形式でフォーマットされているとき、液晶表示部１８の表示１８ｈを使用して『ＮＥＷ』を表示する。これと同じセグメントを利用し、ＧＰＳ動作時には緯度・経度を表示する際に『Ｎ』『Ｅ』『Ｗ』『Ｓ』の表示を行い、それぞれ、『北緯』『東経』『西経』『南緯』の意味を表す。そこでカード未使用を示す表示の時は、ＧＰＳ用ＮＥＷＳのうちＮＥＷ部分だけを点灯させることにより、液晶表示部１８の表示セグメントを共通化できる。
【０１５８】
＜第３の目的を達成するための実施の形態＞
図２１に本発明の第３の実施の形態例の実施するに適するディジタルスチルカメラの一形態例の構成を示す。
【０１５９】
この図２１に示すディジタルスチルカメラにおいて、レンズ１，アイリス絞り２等で構成された光学系を介して得られた光画像は、ＣＣＤ等の撮像素子３の受光面に結像される。また、このとき、このレンズ１及びアイリス絞り２は、それぞれフォーカス駆動回路１６及び絞り駆動回路１５により駆動される。
【０１６０】
ここで、撮像素子３は受光面に結像された光画像を電荷量に光電変換し、ＣＣＤ駆動回路１９からの転送パルスによってアナログの画像信号を出力する。
出力されたアナログの画像信号は、プリプロセス回路４においてＣＤＳ（相関二重サンプリング）処理でノイズが低減され、またＡＧＣにより利得の調整が行われ、ダイナミックレンジ拡大のための二ー処理などが行われる。
【０１６１】
そして、Ａ／Ｄ変換器５によってディジタル画像信号に変換された後、信号処理回路６で輝度処理や色処理が施されてディジタルビデオ信号（例えば、輝度信号（Ｙ）と色差信号（Ｃｒ，Ｃｂ））に変換されて、メモリコントローラ７に出力される。
【０１６２】
他方、この信号処理回路６にはＤ／Ａ変換器も内蔵されており、Ａ／Ｄ変換器５側から入力されるカラー化された映像信号や、メモリコントローラ７から逆に入力される画像データをアナログのビデオ信号として出力することもできる。
【０１６３】
これらの機能切り替えは、メインマイコン８とのデータ交換により行なわれ、必要に応じて撮像素子信号の露出情報やフォーカス信号、白バランス情報をメインマイコン８へ出力することもできる。
【０１６４】
このメインマイコン８は、主として撮影，記録，再生のシーケンスを制御し、更には必要に応じて撮影画像の圧縮再生や外部機器とのシリアルポート伝送を行なう。ここで、画像圧縮としてＣＣＩＴＴとＩＳＯで規格化されているＪＰＥＧ方式、或いはＪＢＩＧ方式を使用する。
【０１６５】
そして、メモリコントローラ７では、信号処理回路６から入力されるディジタル画像データをフレームメモリ９に蓄積したり、逆にフレームメモリ９の画像データを信号処理回路６に出力する。
【０１６６】
フレームメモリ９は、少なくとも１画面以上の画像データを蓄積できる画像メモリであり、例えばＶＲＡＭ，ＳＲＡＭ，ＤＲＡＭ等が一般に使用されるが、ここではＣＰＵのバスと独立動作可能なＶＲＡＭを使用している。
【０１６７】
画像蓄積用メモリ１０は、本体内蔵のメモリであり、フレームメモリ９に記憶された画像データについてメインマイコン８で画像圧縮処理等を施されたものが蓄えられる。この画像蓄積用メモリ１０としては、例えばＳＲＡＭ，ＤＲＡＭ，ＥＥＰＲＯＭ等が用いられるが、メモリ内の画像データを保存することを考えると、ＥＥＰＲＯＭが好ましい。
【０１６８】
ＰＣカードコントローラ（ＰＣＭＣＩＡコントローラ）１１は、ＰＣメモリカード（以下単にＰＣカードと略す）等の外部記録媒体とメインマイコン８とを接続するものであり、フレームメモリ９に記憶された画像が、メインマイコン８で画像圧縮処理等を施された後に、このコントローラ１１を介して外部記憶媒体に記録される。このＰＣカードコントローラ１１を介して接続される外部の保存用のＰＣカードとしては、ＳＲＡＭカード，ＤＲＡＭカード，ＥＥＰＲＯＭカード等が使用でき、モデムカードやＩＳＤＮカードを利用して公衆回線を介して直接画像データを遠隔地の記憶媒体に転送することもできる。
【０１６９】
ストロボ１２は撮影シーケンスを制御するメインマイコン８により発光タイミングが得られるようになっている。
シリアルポートドライバ１３は、カメラ本体と外部機器との情報との情報伝送を行なうための信号変換を行なう。シリアル伝送手段としては、ＲＳ２３２Ｃや、ＲＳ４２２Ａ等のシリアル通信を行う推奨規格があるが、ここではＲＳ２３２Ｃを使用している。
【０１７０】
サブマイコン１４は、カメラ本体の操作スイッチや液晶表示等のマンマシン・インタフェースを制御し、メインマイコン８に必要に応じて情報伝達を行なうものである。ここでは、メインマイコン８との情報伝達にシリアル入出力端子を使用している。また、時計機能も組み込まれており、オートデートの制御も行なう。
【０１７１】
絞り駆動部１５は、例えばオートアイリス等によって構成され、メインマイコン８の制御によって光学的な絞り２の絞り値を変化させる。
フォーカス駆動部１６は、例えばステッピングモータにより構成され、メインマイコン８の制御によってレンズ位置を変化させ、被写体の光学的なピント面を撮像素子３上に適性に合わせるものである。液晶表示部１８はサブマイコン１４と接続され、撮影情報等の各種情報を表示する表示手段である。
【０１７２】
操作部２０は各種モード設定スイッチやレリーズスイッチ等が設けられた操作手段であり、サブマイコン１４に接続されている。シリアルポート２１はシリアルポートドライバ１３に接続された外部ポートであり、シリアル通信を行う各種の外部機器が接続（挿抜）される。
【０１７３】
尚、この図９で示した構成では、メインマイコン８において画像の圧縮と伸張とを行う場合を示したが、ＣＰＵバス上に圧縮／伸張用の専用回路を配置しても良い。
【０１７４】
次に、撮影からメモリ記録への一連の動作を説明する。サブマイコン１４に接続している各種スイッチ情報よりカメラの動作モードが設定され、撮影のための情報がメインマイコン８にシリアル情報として入力される。この情報に応じて、メインマイコン８は、メモリコントローラ７やシリアルポートドライバ１３を設定する。また必要に応じて、ＰＣカードコントロー１１を設定する。
【０１７５】
サブマイコン１４に接続された操作部２０のレリーズスイッチが半押し（S1on）されると、サブマイコン１４はその情報をメインマイコン８に伝える。メインマイコン８はS1信号がアクティブになったことを知ると、信号処理回路６に画像入力命令を発行し、信号処理回路６は、撮像素子３，プリプロセス回路４，Ａ／Ｄ変換器６を動作させてＣＣＤ画像を受け取る。
【０１７６】
受け取ったＣＣＤ画像データを信号処理回路６で基本的な信号処理を行った上で、輝度データの高周波成分からフォーカス情報を、低周波成分から露出データを作成しておく。メインマイコン８では、これらのデータを信号処理回路６から読み取り、必要に応じて絞り駆動やフォーカス駆動、さらにはプリプロセスのＡＧＣ増幅器のゲイン制御を行い適正な露出やピントが得られるまで収れんをさせる。また、動作モードによっては、信号処理回路６からアナログ画像信号を出力してＮＴＳＣビデオ信号として外部モニタに出力する。
【０１７７】
露出値、ピントが適正な値に収れんした後、サブマイコン１４からメインマイコン８にレリーズスイッチが全押しされたことを示す信号（S2on）が入力されると、メインマイコン８はメモリコントローラ７に取り込みの命令を出力する。また、必要に応じて、取り込み画像のフィールドタイミングでストロボ１２に発光信号を出力する。
【０１７８】
メモリコントローラ７で画像の取り込み命令を受けると、信号処理回路６からの同期信号を検出し、所定のタイミングで信号処理回路６から出力されるＹ−Ｃｒ−Ｃｂ形式などの画像データをフレームメモリ９に取り込む。フレームメモリ９に画像の取り込みが終了すると、メモリコントローラ７は取り込みが終了したことを示すステータスを表示する。このステータスをメインマイコン８が読み取ることによって、メインマイコン８側で撮影が終了したことを認識する。
【０１７９】
撮影が終了した後にメインマイコン８では必要に応じて撮像データの画像圧縮を行い、画像蓄積用メモリ１０，外部接続されているＰＣカードやフラッシュメモリ、あるいはシリアルポート２１に接続されているパーソナルコンピュータへ画像データを転送する。
【０１８０】
また、再生表示動作においては、メインマイコン８で、画像蓄積用メモリ１０、外部接続されているＰＣカード、あるいはシリアルポート２１に接続されているパーソナルコンピュータから画像データを読み取り、必要に応じて画像の伸張を行い、フレームメモリ９に書き込む。この後、信号処理回路６とメモリコントローラ７に画像を表示するための命令を発行すると、メモリコントローラ７でフレームメモリ９部より画像データを読み取り、信号処理回路６を介してＮＴＳＣ出力端子へ画像のアナログ信号を出力する。
【０１８１】
尚、ＰＣカードやフラッシュカードには画像データでなかったり、ディジタルスチルカメラで再生できない画像データが入っている可能性があるので、カード挿入時に各ファイルが再生可能かどうかを調べ、サブマイコン１４のテーブルに記録する。
【０１８２】
このようにしてディジタルスチルカメラの撮影，記録，再生，表示，伝送の機能は達成される。
次にシリアルポート２１にコネクタが挿入されたときのディジタルスチルカメラの動作について説明する。
【０１８３】
シリアルポート２１にコネクタが挿されたことをコネクタ部の挿抜検出スイッチかコネクタ内の検出ピンにより検出した場合、又は、使用者が操作部２０によりモードを切り替えた場合に、サブマイコン１４はディジタルスチルカメラをシリアル通信モードに切り替える。
【０１８４】
このとき、ディジタルスチルカメラは外部機器と通信を開始する。このような場合に、外部機器とは通信コマンドの取り決めがしてあり、メインマイコン８は接続された外部機器を判別するために、通信速度を切り替えるようにする。例えば、４８００ｂｐｓ、９６００ｂｐｓ・・・５７．６ｋｂｐｓ・・・という具合に通信速度を遅いものから（図２２Ｓ１）徐々に速いものに切り替えつつ（図２２Ｓ２〜Ｓ３〜Ｓ４）通信コマンドを発行し、外部機器との通信可能な速度を検出して通信を開始する（図２２Ｓ５，Ｓ６）。
【０１８５】
このようにして、ディジタルスチルカメラ側のメインマイコン８は外部機器を自動判別し、通信プロトコルを自動的に切り替えることができる。
ここで、シリアル通信モード時にパソコンやＧＰＳユニットを接続して通信を行うディジタルスチルカメラについて説明する。
【０１８６】
パソコンを接続してシリアル通信を行うときは、パソコンから入力したコマンドにより、カメラで撮影した画像をパソコン内のハードディスク上に取り込んだり、カメラの設定や、撮影ができる。この場合、パソコン側でディジタルスチルカメラをリモート操作可能なソフトウェアを立ちあげておいて、シリアル通信でコマンドを与えるようにする。図２３はこのようなリモート操作を行う場合のパソコン側の表示画面の一例を示す。
【０１８７】
ＧＰＳユニットと通信するときは、ＧＰＳ受信機で受信測定した緯度・経度などの情報を通信データで受け取り、撮影画像と対応させて撮影画像のヘッダー部分等に記録したり、液晶表示部１８に情報を表示したりする。これにより、画像を撮影した場所や、時刻などを使用者が知ることができる。
【０１８８】
例えば、パソコン側のシリアルポートの通信速度が５７．６ｋｂｐｓに設定されている場合、メインマイコン８がシリアルポートドライバ１３より５７．６ｋｂｐｓで通信を行ったときに、ハンドシェークが成立してパソコンからの通信コマンドを認識することができる。
【０１８９】
そして、メインマイコン８はシリアルポートドライバ１３より相手機器を尋ねる所定のコマンドをパソコン側に送出する。この所定のコマンドを受けたパソコン側は機器の種類を示す所定のコードデータをディジタルスチルカメラ側に返す。これにより、カメラ側は接続された機器がパソコンであると認識でき、撮影した画像データを送信したり、アプリケーションソフトからカメラにコマンドを送りカメラを操作したりできる。
【０１９０】
また、ＧＰＳユニット側の通信速度が９６００ｂｐｓに設定されている場合、メインマイコン８がシリアルポートドライバ１３より９６００ｂｐｓで通信したときにハンドシェークが成立してコマンドを認識できる。そして、接続された機器がＧＰＳユニットであるというコードデータを受けとることにより、ＧＰＳユニットとの通信を開始する。こうして、外部機器を自動判別し、通信プロトコルを自動的に切り替えることができる。
【０１９１】
また、シリアルポートドライバ１３をディジタルスチルカメラ内部に持たない構成にすることもできる。図２４にそのときの実施の一形態例を示す。シリアルポートドライバをディジタルスチルカメラに着脱可能とするために、コネクタ２２を設けておく。ＲＳ２３２ＣやＲＳ４２２ドライバを用いた外部ドライバ２５との接続例を図２５及び図２６に示す。ディジタルスチルカメラ外部にＲＳ−２３２−Ｃ、ＲＳ−４２２などのそれぞれのドライバ／レシーバを有する外部ドライバ２５用意すれば、カメラ側では１つのコネクタ２２を持つことにより様々な規格のインタフェースに対応することが可能となる。このとき、カメラ側では最も制御線の必要なシリアルインタフェースの仕様に合わせておく必要がある。
【０１９２】
尚、この場合にケーブル２３を用いて外部ドライバ２５をディジタルスチルカメラに接続しても良いし、ケーブル２３を使用せずにディジタルスチルカメラと外部ドライバ２５とを直接コネクタで接続する構成としても良い。
【０１９３】
また、カメラ内部には、図２７に示すようにバッファ２９が必要となる。このバッファを設けることで、外部機器３０〜外部ドライバ２５〜メインマイコン８の間で一時的にあふれるデータを吸収できるようになる。
【０１９４】
＜第４の目的を達成するための実施の形態＞
図２８に本発明の第４の実施の形態例の実施するに適するディジタルスチルカメラの一形態例の構成を示す。
【０１９５】
まず、基本動作について説明し、次に特徴部分の動作を説明する。
この図２８に示すディジタルスチルカメラにおいて、レンズ１，アイリス絞り２等で構成された光学系を介して得られた光画像は、ＣＣＤ等の撮像素子３の受光面に結像される。また、このとき、このレンズ１及びアイリス絞り２は、それぞれフォーカス駆動回路１６及び絞り駆動回路１５により駆動される。
【０１９６】
ここで、撮像素子３は受光面に結像された光画像を電荷量に光電変換し、ＣＣＤ駆動回路１９からの転送パルスによってアナログの画像信号を出力する。
出力されたアナログの画像信号は、プリプロセス回路４においてＣＤＳ（相関二重サンプリング）処理でノイズが低減され、またＡＧＣにより利得の調整が行われ、ダイナミックレンジ拡大のための二ー処理などが行われる。
【０１９７】
そして、Ａ／Ｄ変換器５によってディジタル画像信号に変換された後、信号処理回路６で輝度処理や色処理が施されてディジタルビデオ信号（例えば、輝度信号（Ｙ）と色差信号（Ｃｒ，Ｃｂ））に変換されて、メモリコントローラ７に出力される。
【０１９８】
他方、この信号処理回路６にはＤ／Ａ変換器も内蔵されており、Ａ／Ｄ変換器５側から入力されるカラー化された映像信号や、メモリコントローラ７から逆に入力される画像データをアナログのビデオ信号として出力することもできる。
【０１９９】
これらの機能切り替えは、メインマイコン８とのデータ交換により行なわれ、必要に応じて撮像素子信号の露出情報やフォーカス信号、白バランス情報をメインマイコン８へ出力することもできる。
【０２００】
このメインマイコン８は、主として撮影，記録，再生のシーケンスを制御し、更には必要に応じて撮影画像の圧縮再生や外部機器とのシリアルポート伝送を行なう。ここで、画像圧縮としてＣＣＩＴＴとＩＳＯで規格化されているＪＰＥＧ方式、或いはＪＢＩＧ方式を使用する。
【０２０１】
そして、メモリコントローラ７では、信号処理回路６から入力されるディジタル画像データをフレームメモリ９に蓄積したり、逆にフレームメモリ９の画像データを信号処理回路６に出力する。
【０２０２】
フレームメモリ９は、少なくとも１画面以上の画像データを蓄積できる画像メモリであり、例えばＶＲＡＭ，ＳＲＡＭ，ＤＲＡＭ等が一般に使用されるが、ここではＣＰＵのバスと独立動作可能なＶＲＡＭを使用している。
【０２０３】
画像蓄積用メモリ１０は、本体内蔵のメモリであり、フレームメモリ９に記憶された画像データについてメインマイコン８で画像圧縮処理等を施されたものが蓄えられる。この画像蓄積用メモリ１０としては、例えばＳＲＡＭ，ＤＲＡＭ，ＥＥＰＲＯＭ等が用いられるが、メモリ内の画像データを保存することを考えると、ＥＥＰＲＯＭが好ましい。
【０２０４】
ＰＣカードコントローラ（ＰＣＭＣＩＡコントローラ）１１は、ＰＣメモリカード（以下単にＰＣカードと略す）等の外部記録媒体とメインマイコン８とを接続するものであり、フレームメモリ９に記憶された画像が、メインマイコン８で画像圧縮処理等を施された後に、このコントローラ１１を介して外部記憶媒体に記録される。このＰＣカードコントローラ１１を介して接続される外部の保存用のＰＣカードとしては、ＳＲＡＭカード，ＤＲＡＭカード，ＥＥＰＲＯＭカード等が使用でき、モデムカードやＩＳＤＮカードを利用して公衆回線を介して直接画像データを遠隔地の記憶媒体に転送することもできる。
【０２０５】
ストロボ１２は撮影シーケンスを制御するメインマイコン８により発光タイミングが得られるようになっている。
シリアルポートドライバ１３は、カメラ本体と外部機器との情報との情報伝送を行なうための信号変換を行なう。シリアル伝送手段としては、ＲＳ２３２Ｃや、ＲＳ４２２Ａ等のシリアル通信を行う推奨規格があるが、ここではＲＳ２３２Ｃを使用している。
【０２０６】
サブマイコン１４は、カメラ本体の操作スイッチや液晶表示等のマンマシン・インタフェースを制御し、メインマイコン８に必要に応じて情報伝達を行なうものである。ここでは、メインマイコン８との情報伝達にシリアル入出力端子を使用している。また、時計機能も組み込まれており、オートデートの制御も行なう。
【０２０７】
絞り駆動部１５は、例えばオートアイリス等によって構成され、メインマイコン８の制御によって光学的な絞り２の絞り値を変化させる。
フォーカス駆動部１６は、例えばステッピングモータにより構成され、メインマイコン８の制御によってレンズ位置を変化させ、被写体の光学的なピント面を撮像素子３上に適性に合わせるものである。液晶表示部１８はサブマイコン１４と接続され、撮影情報等の各種情報を表示する表示手段である。
【０２０８】
操作部２０は各種モード設定スイッチやレリーズスイッチ等が設けられた操作手段であり、サブマイコン１４に接続されている。
抵抗器２６は電源電圧を分圧する分圧抵抗であり、サブマイコン１４のＡ／Ｄポートに接続されている。また、電源供給部２７はサブマイコン１４の指示を受けて各部に電源を供給する。
【０２０９】
尚、この図９で示した構成では、メインマイコン８において画像の圧縮と伸張とを行う場合を示したが、ＣＰＵバス上に圧縮／伸張用の専用回路を配置しても良い。
【０２１０】
次に、撮影からメモリ記録への一連の動作を説明する。サブマイコン１４に接続している各種スイッチ情報よりカメラの動作モードが設定され、撮影のための情報がメインマイコン８にシリアル情報として入力される。この情報に応じて、メインマイコン８は、メモリコントローラ７やシリアルポートドライバ１３を設定する。また必要に応じて、ＰＣカードコントロー１１を設定する。
【０２１１】
サブマイコン１４に接続された操作部２０のレリーズスイッチが半押し（S1on）されると、サブマイコン１４はその情報をメインマイコン８に伝える。メインマイコン８はS1信号がアクティブになったことを知ると、信号処理回路６に画像入力命令を発行し、信号処理回路６は、撮像素子３，プリプロセス回路４，Ａ／Ｄ変換器６を動作させてＣＣＤ画像を受け取る。
【０２１２】
受け取ったＣＣＤ画像データを信号処理回路６で基本的な信号処理を行った上で、輝度データの高周波成分からフォーカス情報を、低周波成分から露出データを作成しておく。メインマイコン８では、これらのデータを信号処理回路６から読み取り、必要に応じて絞り駆動やフォーカス駆動、さらにはプリプロセスのＡＧＣ増幅器のゲイン制御を行い適正な露出やピントが得られるまで収れんをさせる。また、動作モードによっては、信号処理回路６からアナログ画像信号を出力してＮＴＳＣビデオ信号として外部モニタに出力する。
【０２１３】
露出値、ピントが適正な値に収れんした後、サブマイコン１４からメインマイコン８にレリーズスイッチが全押しされたことを示す信号（S2on）が入力されると、メインマイコン８はメモリコントローラ７に取り込みの命令を出力する。また、必要に応じて、取り込み画像のフィールドタイミングでストロボ１２に発光信号を出力する。
【０２１４】
メモリコントローラ７で画像の取り込み命令を受けると、信号処理回路６からの同期信号を検出し、所定のタイミングで信号処理回路６から出力されるＹ−Ｃｒ−Ｃｂ形式などの画像データをフレームメモリ９に取り込む。フレームメモリ９に画像の取り込みが終了すると、メモリコントローラ７は取り込みが終了したことを示すステータスを表示する。このステータスをメインマイコン８が読み取ることによって、メインマイコン８側で撮影が終了したことを認識する。
【０２１５】
撮影が終了した後にメインマイコン８では必要に応じて撮像データの画像圧縮を行い、画像蓄積用メモリ１０，外部接続されているＰＣカードやフラッシュメモリ、あるいはシリアルポート２１に接続されているパーソナルコンピュータへ画像データを転送する。
【０２１６】
また、再生表示動作においては、メインマイコン８で、画像蓄積用メモリ１０、外部接続されているＰＣカード、あるいはシリアルポート２１に接続されているパーソナルコンピュータから画像データを読み取り、必要に応じて画像の伸張を行い、フレームメモリ９に書き込む。この後、信号処理回路６とメモリコントローラ７に画像を表示するための命令を発行すると、メモリコントローラ７でフレームメモリ９部より画像データを読み取り、信号処理回路６を介してＮＴＳＣ出力端子へ画像のアナログ信号を出力する。
【０２１７】
尚、ＰＣカードやフラッシュカードには画像データでなかったり、ディジタルスチルカメラで再生できない画像データが入っている可能性があるので、カード挿入時に各ファイルが再生可能かどうかを調べ、サブマイコン１４のテーブルに記録する。
【０２１８】
このようにしてディジタルスチルカメラの撮影、記録、再生、表示、伝送の機能は達成される。
ここで図２９の電源部のブロック図も参照して、電源制御の動作について説明する。
【０２１９】
バッテリの電圧値は、抵抗器２６により分圧され、Ａ／Ｄ変換器２８若しくはサブマイコン１４内でＡ／Ｄ変換される。この電圧値は電源制御部２９若しくはサブマイコン１４内において、設定されている第１のレベル及び第２のレベルと比較が行われる。バッテリのＡ／Ｄ変換された電圧値が図３０のグラフに示したＶ1 より大きいときは、バッテリは十分にあると判断されるので、液晶表示部１８のバッテリマーク（図１１表示１８ａ参照）は十分あることを示すように２つとも点灯する。Ａ／Ｄ変換された電圧値がＶ1 未満になると、液晶表示１８ａは半分だけ点灯になる。さらに使用していくとバッテリの残量は減少していき、Ｖ0C（カメラ単体動作時バッテリ検出レベル）以下になる。このときは、これ以上電圧が低下すると、カメラが正常に動作しなくなる危険がある。そこで、電源制御部２９若しくはサブマイコン１４は電源供給部２７により全ての電源を切り、バッテリマークの液晶表示を消灯し、電源ＳＷが押されるのを待つか、パワーＯＦＦ状態になる。
【０２２０】
次に、パソコンや電子手帳又は専用のコントローラ等の外部機器と通信を行っている時について説明する。ここでは、パソコンと通信を行う場合を例にして説明を行う。パソコンと通信を開始したら、バッテリ検出レベル値を図３０のＶ  0Cのレベルから、ＶOP（外部機器接続動作時バッテリ検出レベル＝第２のレベル）に切り替える。バッテリの電圧値のＡ／Ｄ変換値がＶOP以下になっても、カメラが動作できなくなるレベルからは余裕を見ているので、カメラのシステム全体の電源は落とさず、パソコンからのコマンドを受け取ることができる。ただし、このときはバッテリの残量はほとんどないので、パソコンからコマンドを受けても、その動作を行うことはできない。そこで、パソコン側から何等かのコマンドが送られたときは、「バッテリが空である」を意味するコマンドを返すようにする。パソコン側では「バッテリが空である」というコマンドを受け取ると、ディジタルスチルカメラ操作ソフトウェアの働きにより図３１（ａ）のような電池交換を促す警告をモニタ画面上に表示する。
【０２２１】
また、外部機器接続動作時に、バッテリの電圧値のＡ／Ｄ変換値がＶOP以下になったとき、カメラとしての動作は行わず、コマンドだけを受け取れればいいので、メインマイコン８への電源とシリアルポートドライバ１３への電源だけを供給するようにし、他への電源供給を切ってしまうようにすれば、より電圧の低下を押さえられる。
【０２２２】
また、外部機器と通信を行うディジタルスチルカメラにおいて、バッテリ残量検出レベルを複数段階設けておき、外部機器からのコマンドによってレベルの切り替えを行なうようにすることも可能である。外部機器、例えばパソコンからディジタルスチルカメラに伝えられるコマンドには記録，再生，転送などがあり、図３５に示したように各動作によって消費電流が違うために電源電圧も異なったものとなる。この結果、撮影はできなくとも画像の転送は可能であるといったことが生じる。
【０２２３】
そこで、各動作による電圧降下を予め調べておき、各コマンドによる動作とバッテリ検出レベルとを設定しておく。例えば、通信時における記録時バッテリ検出レベルとして、通信時に画像の記録が行なえなくなる電圧レベルを定めておく。また、同様にして、通信時における再生時バッテリ検出レベルとして、通信時に画像の再生が行なえなくなる電圧レベルを定めておく。
【０２２４】
そして、パソコン等から記録や再生のコマンドが送られてきた時にメインマイコン８がそれぞれのレベルを検出した場合には、バッテリ不足によりコマンドを実行できない旨のコマンドを返すようにする。パソコン側ではこの種のコマンドを受け取ると、ディジタルスチルカメラ操作ソフトウェアの働きにより図３１（ｂ）のようなコマンド実行不可能の警告をモニタ画面上に表示する。
【０２２５】
そして、この後、メインマイコン８はパソコン通信時バッテリ検出レベルに戻し、電源電圧の監視を続ける。更に電源電圧が低下してパソコン通信時バッテリ検出レベルに達した時には、バッテリが空であることを意味するコマンドをパソコン側に送るようにする。パソコン側では「バッテリが空である」というコマンドを受け取ると、ディジタルスチルカメラ操作ソフトウェアの働きにより図３１（ａ）のような電池交換を促す警告をモニタ画面上に表示する。
【０２２６】
ここで、パソコンとの通信によって通信モードになるディジタルスチルカメラについて説明する。パソコン側から通信モードになるようコマンドが来ると、カメラは通信モードになる。通信モードのとき、カメラ側では操作部２０内の復帰用ＳＷ以外のＳＷ入力は全く受け付けない。カメラはパソコンからのコマンドのみに従い動作（撮影したり、画像を送ったり、カメラの設定をしたり）する。このときパソコンの方が、ハングアップしてしまったとき、復帰用ＳＷを押すと通信モードをぬけ、カメラのモードＳＷで選択されているモードとなる。このＳＷは復帰用ＳＷとして専用に設けてもよいし（図３２）、通信モード時は他のＳＷは機能しないので他のＳＷと兼用してもよい。
【０２２７】
【発明の効果】
（１）以上詳細に説明したように、第１の発明によれば以下のような効果が得られる。
【０２３３】
▲４▼内蔵メモリからカードへ、カードから内蔵メモリへ、または他の記録媒体への画像コピーを行う際に、液晶表示部にその動作を示すような表示素子を設けることにより、カメラの動作が明確に分かるようになるとともに、誤動作を減らすことができる。
【０２３９】
パソコンとの通信によって通信モードになるディジタルスチルカメラにおいて、パソコンと通信中は通常ＳＷを受け付けないが、１つのＳＷだけを受け付けることにより、パソコン側のカメラ操作アプリケーションなどがハングアップしたときでも、カメラは簡単な操作で通信モードから復帰できる。
【図面の簡単な説明】
【図１】本発明の第１の実施の形態例に適するディジタルスチルカメラの構成を示す構成図である。
【図２】ディジタルスチルカメラの外観構成を示す構成図である。
【図３】液晶表示部の表示例を示す説明図である。
【図４】撮影台の外観構成を示す構成図である。
【図５】撮影台の外観構成をフィルムを載置した状態で示す構成図である。
【図６】撮影台の外観構成をディジタルスチルカメラを搭載した状態で示す構成図である。
【図７】撮影台の保持機構の位置決め表示の様子を示す構成図である。
【図８】プロセス回路の詳細を示す構成図である。
【図９】第２の実施の形態例の実施するに適するディジタルスチルカメラの一形態例の構成を示す構成図である。
【図１０】ディジタルスチルカメラの外観構成を示す構成図である。
【図１１】液晶表示部の表示例を示す説明図である。
【図１２】液晶表示部の表示の一例を示す説明図である。
【図１３】液晶表示部の表示の一例を示す説明図である。
【図１４】液晶表示部の表示の一例を示す説明図である。
【図１５】液晶表示部の表示の一例を示す説明図である。
【図１６】液晶表示部の表示の一例を示す説明図である。
【図１７】液晶表示部の表示の一例を示す説明図である。
【図１８】液晶表示部の表示の一例を示す説明図である。
【図１９】液晶表示部の表示の一例を示す説明図である。
【図２０】液晶表示部の表示の一例を示す説明図である。
【図２１】第３の実施の形態例の実施するに適するディジタルスチルカメラの一形態例の構成を示す構成図である。
【図２２】第３の実施の形態例における動作を示すフローチャートである。
【図２３】ディジタルスチルカメラを外部機器より操作する場合の外部機器のモニタ画面の様子を示す説明図である。
【図２４】第３の実施の形態例の実施するに適するディジタルスチルカメラの別の形態例の構成を示す構成図である。
【図２５】第３の実施の形態例において外部ドライバを接続する様子の一例を示す構成図である。
【図２６】第３の実施の形態例において外部ドライバを接続する様子の一例を示す構成図である。
【図２７】第３の実施の形態例において外部ドライバを接続する様子の一例を示す構成図である。
【図２８】第４の実施の形態例の実施するに適するディジタルスチルカメラの形態例の構成を示す構成図である。
【図２９】第４の実施の形態における電源制御の他の例を示す構成図である。
【図３０】第４の実施の形態における電源制御の電圧値の様子を示す説明図である。
【図３１】ディジタルスチルカメラの電源制御により外部機器のモニタ画面の表示例を示す説明図である。
【図３２】電源制御を行う場合のディジタルスチルカメラの操作スイッチの様子を示す説明図である。
【図３３】従来のディジタルスチルカメラの構成を示す構成図である。
【図３４】従来のディジタルスチルカメラのプロセス回路の構成を示す構成図である。
【図３５】バッテリの電圧特性を示す特性図である。
【符号の説明】
図１に示す第１の実施の形態において
１０１，１０２  レンズ
１０３  絞り
１０４  撮像素子
１０５  プリプロセス回路
１０６  Ａ／Ｄ変換器
１０７  プロセス回路
１０８  圧縮伸張回路
１０９  記録再生回路
１１０  メインＣＰＵ
１１１  メモリカード
１１２  Ｄ／Ａ変換器
１１３  出力回路
１１５  発光回路
１１６  ストロボ
１２０  絞り駆動回路
１２１  レンズ駆動回路
１２５  ＣＣＤ駆動回路
１３０  操作パネル
１３１  液晶表示部
【図１】
0003694942.tif 000002
【図２】
0003694942.tif 000003
【図３】
0003694942.tif 000004
【図４】
0003694942.tif 000005
【図５】
0003694942.tif 000006
【図６】
0003694942.tif 000007
【図７】
0003694942.tif 000008
【図８】
0003694942.tif 000009
【図９】
0003694942.tif 000010
【図１０】
0003694942.tif 000011
【図１１】
0003694942.tif 000012
【図１２】
0003694942.tif 000013
【図１３】
0003694942.tif 000014
【図１４】
0003694942.tif 000015
【図１５】
0003694942.tif 000016
【図１６】
0003694942.tif 000017
【図１７】
0003694942.tif 000018
【図１８】
0003694942.tif 000019
【図１９】
0003694942.tif 000020
【図２０】
0003694942.tif 000021
【図２１】
0003694942.tif 000022
【図２２】
0003694942.tif 000023
【図２３】
0003694942.tif 000024
【図２４】
0003694942.tif 000025
【図２５】
0003694942.tif 000026
【図２６】
0003694942.tif 000027
【図２７】
0003694942.tif 000028
【図２８】
0003694942.tif 000029
【図２９】
0003694942.tif 000030
【図３０】
0003694942.tif 000031
【図３１】
0003694942.tif 000032
【図３２】
0003694942.tif 000033
【図３３】
0003694942.tif 000034
【図３４】
0003694942.tif 000035
【図３５】
0003694942.tif 000036